(57)【要約】      （修正有）【課題】幅広の棚板であっても、棚板の垂れ下がり、棚板の垂れ下がりによる棚板の脱落を防止し棚板を水平に保持させる補助パネル付きキャビネットを提供する。【解決手段】左右の垂直外側パネル、或いは中垂直パネルと左右の垂直外側パネル、及び複数の棚板３により構成されるキャビネットの左右垂直外側パネル２の間、或いは左右垂直外側パネルと中垂直パネルの間の後方、前方、又は前後に棚板保持用補助パネル１を設け、その棚板保持用補助パネルには左右垂直外側パネル、中垂直パネルと同じ位置に棚受け機能を持たせることにより棚板設置時、棚板は左右垂直外側パネル、及び中垂直パネルの棚受けのみでなく棚板保持用補助パネルに設けた棚受け機能により後方、又は前方、あるいは前後で保持することが可能となり、棚板の垂れ下がりを防止し、水平を維持する、又垂れ下がりによる棚板の脱落を防止する。【選択図】図１
0003175329.tif 000002
【実用新案登録請求の範囲】
【請求項１】
（１）左右垂直外側パネル、或いは左右垂直外側パネルと中垂直パネル、及び棚板で構成されるキャビネットであって、（２）棚板を保持する機能を有する左右垂直外側パネル、中垂直パネル以外に、（３）棚板保持用補助パネルを左右垂直外側パネル、或いは中垂直パネルと左右垂直外側パネルの間の後方、或いは前方、又は前後両方に設け、（４）その棚板保持用補助パネルには左右垂直外側パネルと同位置に棚受け機能を持たせ、（５）棚板を左右のみでなく後方、或いは前方、又は前後両方で保持することにより棚板の垂れ下がり、又は垂れ下がりによる棚板の脱落を防止する形式の（６）棚板保持用補助パネルを有するキャビネット。
【考案の詳細な説明】
【技術分野】
【０００１】本考案は棚板保持用補助パネルの付属するキャビネットに関するものである。
【背景技術】
【０００２】  従来の多くのキャビネットの棚板は左右の垂直外側パネル、或いは中垂直パネルと左右の垂直外側パネルに設けられた棚受けにより保持される構造である。
【先行技術文献】
【０００３】
【非特許文献】
【非特許文献】  デイノスリビング２０１１年間保存版１２４号  Ｐ１８０〜Ｐ１９７。
【考案の概要】
【考案が解決しようとする課題】
【０００４】  従来の多くのキャビネットの棚板は左右の垂直外側パネル、或いは中垂直パネルと左右の垂直外側パネルに設けられた棚受けにより保持される構造であるため、幅広の棚板の場合、棚板が中央より垂れ下り水平維持が不可能となる、或いは棚板垂れ下がりにより棚受けより脱落する危険性がある問題点を解決課題とする。
【課題を解決するための手段】
【０００５】  本考案は従来の問題点を解決するため、キャビネットを構成する左右の垂直外側パネル、中垂直パネル以外に棚板保持用補助パネルを垂直外側パネル、或いは垂直外側パネルと中垂直パネルの間の後方、或いは前方、又は前後に設け、その棚板保持用補助パネルに左右の垂直パネル、中垂直パネルと同位置に棚受け機能を持たせることにより、棚板を左右の垂直外側パネルのみでなく後方、或いは前方、又は前後で保持し、棚板の垂れ下がり、垂れ下がりによる棚板の脱落を防止し課題を解決する手段とするものである。
【考案の効果】
【０００６】  上記考案の棚板保持用補助パネルに設けた棚受け機能により棚板を左右の垂直外側パネル、或いは垂直外側パネルと中垂直パネルのみならず後方、又は前方、或いは前後で受けるため幅広の棚板であっても、棚板の垂れ下がり、棚板の垂れ下がりによる棚板の脱落を防止し棚板を水平に保持させる効果がある。
【図面の簡単な説明】
【０００７】
【図１】  棚板保持用補助パネルを後方に備えたキャビネット例の斜視図
【図２】  隠し棚板保持用補助パネルを後方に備えた幅広キャビネット例の斜視図
【図３】  棚板保持用補助パネルを後方に備えたキャビネットの上方からの平面図
【図４】  隠し棚板保持用補助パネルを後方に備えたＴＶ収納キャビネット斜視図
【図５】  棚板保持用補助パネルを前後に備えた幅広キャビネット例の斜視図
【考案を実施するための最良の形態】
【０００８】  本考案は従来の問題点を解決するため、キャビネットの左右垂直外側パネル、中垂直パネル以外に棚板保持用補助パネルを左右垂直外側パネル、或いは中垂直パネルと左右垂直外側パネルの間の後方、又は前方、或いは前後に設け、その棚板保持用補助パネルに左右の垂直外側パネル、又は中垂直パネルと同位置に棚受け機能を持たせることにより、棚板を左右のみでなく後方、或いは前方、又は前後で保持するキャビネットを以下、図１〜図５を参照して実施するための最良の形態を説明する。
【実施例】
【０００９】  以下、添付図に従って実施例を説明する。図１はキャビネットを構成する左右の垂直外側パネル２の間の後方に左右のサイドパネル２と同位置に棚板保持機能４を持つ棚板保持用補助パネル１を設け、棚板３を保持させた形態を説明する斜視図である。棚板３の耐垂れ下がり強度を増すためにバックサポートパネル５を付属し止め金具６で固定する場合もある。尚、棚板の保持機能４は棚受け金具、ビス止め、ショーケース等に使用する可動式棚サポーター等、多種多様であり限定するものではない。【００１０】  図２は中垂直パネル８と左右の垂直外側パネル２、及び複数の棚板３によって構成されるキャビネットの斜視図である。後方には棚板保持用補助パネル１を設置し、その前にバックパネル７を取り付け正面からは棚板保持用補助パネルの段差を無くし、棚板保持用補助パネルをバックパネル７により隠した形態を説明する応用例の斜視図である。棚板保持機能４は図１と同様に垂直外側パネル２、及び中垂直パネル８と同位置に設けられる。【００１１】  図３は図２で説明する棚板保持用補助パネル１をバックパネル７で隠した形態を説明する上方からの平面図である。バックパネル７を２枚使い棚板保持用補助パネル１を挟みサンドイッチ状のパネルにする場合もある。【００１２】  図４は左右の垂直外側パネル２、棚板３、及び下キャビネット９によって構成されたテレビ収納キャビネットの参考斜視図である。図示の如く棚板３を複数の棚板保持用補助パネル１により保持することにより幅広の棚板３が使用可能となりキャビネットの全体形状をスッキリした外観にすることが可能となる例を説明する図である。
尚、棚板保持用補助パネル１の設置本数は図示のように複数の場合もあり限定するものではない。【００１３】  図５は幅広のキャビネットに棚板保持用補助パネル１をキャビネットの左右垂直外側パネル２の間の前後に設置し、左右の垂直外側パネル、及び前後の棚板保持用補助パネル１により棚板３を保持した形態を説明する図である。図示の如く棚板３は左右、前後から保持され、垂れ下がりや垂れ下がりによる落下を防ぐのに更に有効である。
尚、棚板保持用補助パネル１の形状は図示の如く丸、長方形、その他四角、三角等多種多様であり限定するものではない。
【符号の説明】
【００１４】１  棚板保持用補助パネル
２  左右垂直外側パネル
３  棚板
４  棚板保持具
５  バックサポートパネル
６  固定金具
７  バックパネル
８  中垂直パネル
９  下キャビネット
【図１】
0003175329.tif 000003
【図２】
0003175329.tif 000004
【図３】
0003175329.tif 000005
【図４】
0003175329.tif 000006
【図５】
0003175329.tif 000007